(57)【要約】【課題】測定対象物を測定後に確認可能とすること。【解決手段】中間アダプタ１０は、レンズ交換型カメラの交換レンズ２０とカメラボディ３０との間に着脱可能に挿入され、交換レンズ２０の光軸方向において所定の幅を有する筐体１０１と、筐体１０１の内部に設けられ、交換レンズ２０を透過した光束を２方向に分割して、一方の光束をカメラボディ３０内の撮像手段３０２へ導き、他方の光束を、当該光束を光学的に測定する測定手段１０５へ導く分割手段１０３と、交換レンズ２０からカメラボディ３０へ向かう光束による像を撮像手段３０２の撮像面上に結像させるように、当該光束の光路長が筐体１０１の挿入によって伸びた分を補償するとともに、交換レンズ２０を透過した光束が分割手段１０３を透過することにより発生した光学収差を補正する補償光学系１０４と、を備える。【選択図】図１
2014222202.tif 000002
【特許請求の範囲】
【請求項１】
レンズ交換型カメラの交換レンズとカメラボディとの間に着脱可能に挿入され、前記交換レンズの光軸方向において所定の幅を有する筐体と、
前記筐体の内部に設けられ、前記交換レンズを透過した光束を２方向に分割して、一方の光束を前記カメラボディ内の撮像手段へ導き、他方の光束を、当該光束を光学的に測定する測定手段へ導く分割手段と、
前記交換レンズから前記カメラボディへ向かう光束による像を前記撮像手段の撮像面上に結像させるように、当該光束の光路長が前記筐体の挿入によって伸びた分を補償するとともに、前記交換レンズを透過した光束が前記分割手段を透過することにより発生した光学収差を補正する補償光学系と、
を備えることを特徴とする中間アダプタ。
【請求項２】
請求項１に記載の中間アダプタにおいて、
前記分割手段は、前記交換レンズを透過した光束のうち、前記交換レンズの光軸近傍における所定範囲の光束を２方向に分割することを特徴とする中間アダプタ。
【請求項３】
請求項１または２に記載の中間アダプタにおいて、
前記カメラボディ内に設けられた前記撮像面またはファインダスクリーンに、前記測定手段による測定範囲を示す画像を投影する投影手段をさらに備えることを特徴とする中間アダプタ。
【請求項４】
請求項１〜３のいずれか一項に記載の中間アダプタにおいて、
前記カメラボディからシャッタの開放状態を示す信号を受信する受信手段と、
前記受信手段により受信された前記信号に応じて、前記測定手段による測定を制御する制御手段と、
をさらに備えることを特徴とする中間アダプタ。
【請求項５】
請求項１〜４のいずれか一項に記載の中間アダプタにおいて、
前記分割手段は、前記交換レンズを透過した光束の一部を透過し一部を反射させる透過反射面と、前記交換レンズを透過した光束が入射される入射面と、前記交換レンズを透過し前記透過反射面を透過した光束が射出される第１射出面と、前記交換レンズを透過し前記透過反射面により反射された光束が射出される第２射出面と、を有し、
前記交換レンズを透過し前記透過反射面により反射された光束は、前記入射面および前記第１射出面で繰り返し全反射された後、前記第２射出面から射出され、前記測定手段に導かれることを特徴とする中間アダプタ。
【請求項６】
請求項３に記載の中間アダプタにおいて、
前記分割手段は、前記交換レンズを透過した光束の一部を透過し一部を反射させる透過反射面と、前記交換レンズを透過した光束が入射される第１入射面と、前記投影手段からの光束が入射される第２入射面と、前記交換レンズを透過し前記透過反射面を透過した光束が射出される射出面と、を有し、
前記投影手段からの光束は、前記第２入射面から前記分割手段に入射し、前記射出面および前記第１入射面で繰り返し全反射された後、前記透過反射面により反射されて前記射出面から射出され、前記撮像面またはファインダスクリーンに導かれることを特徴とする中間アダプタ。
【発明の詳細な説明】
【技術分野】
【０００１】
本発明は、中間アダプタに関する。
【背景技術】
【０００２】
測定対象物からの光束を受光して分光特性を測定する分光放射輝度計等の測定装置が知られている（特許文献１参照）。この測定装置には、測定対象物を観察するための視準光学系が設けられている。
【先行技術文献】
【特許文献】
【０００３】
【特許文献１】特許第４４５４０９８号公報
【発明の概要】
【発明が解決しようとする課題】
【０００４】
従来の測定装置には、画像を記録する機能がないため、測定対象物からの光束を測定した際、測定対象物がどのようなものであったかを後から画像によって確認することができなかった。
【課題を解決するための手段】
【０００５】
本発明による中間アダプタは、レンズ交換型カメラの交換レンズとカメラボディとの間に着脱可能に挿入され、交換レンズの光軸方向において所定の幅を有する筐体と、筐体の内部に設けられ、交換レンズを透過した光束を２方向に分割して、一方の光束をカメラボディ内の撮像手段へ導き、他方の光束を、当該光束を光学的に測定する測定手段へ導く分割手段と、交換レンズからカメラボディへ向かう光束による像を撮像手段の撮像面上に結像させるように、当該光束の光路長が筐体の挿入によって伸びた分を補償するとともに、交換レンズを透過した光束が分割手段を透過することにより発生した光学収差を補正する補償光学系と、を備えることを特徴とする。
【発明の効果】
【０００６】
本発明によれば、測定対象物を測定後に確認することができる。
【図面の簡単な説明】
【０００７】
【図１】本発明の一実施形態による中間アダプタの構成を説明する図である。
【図２】表示画面を説明する図である。
【図３】交換レンズから中間アダプタを介してカメラボディへ向かう光路を説明する図である。
【図４】中間アダプタにおける光学系のスポットダイアグラムである。
【図５】ビームスプリッタの拡大図である。
【図６】変形例による中間アダプタの構成を説明する図である。
【発明を実施するための形態】
【０００８】
以下、図面を参照して本発明の一実施形態について説明する。図１は、本実施形態による中間アダプタ１０を含む測定システム１の構成を説明する図である。測定システム１は、中間アダプタ１０と、交換型の交換レンズ２０およびカメラボディ３０とから構成される。測定システム１において、交換レンズ２０およびカメラボディ３０については、既存のレンズ交換型カメラを用いることができる。本実施形態による中間アダプタ１０は、交換レンズ２０とカメラボディ３０との間に挿入され、交換レンズ２０からカメラボディ３０へ向かう光束の一部を分離して測定部１０５に導いて撮影対象の分光や測色などの測定を可能としつつ、既存のレンズ交換型カメラにおける撮像機能もそのまま使用可能とするものである。
【０００９】
中間アダプタ１０は、交換レンズ２０とカメラボディ３０との間に挿入される筐体１０１を有する。中間アダプタ１０の筐体１０１に設けられたレンズマウント１０２には、交換レンズ２０が着脱可能に取り付けられる。これにより、中間アダプタ１０と交換レンズ２０とが物理的かつ電気的に接続される。また、カメラボディ３０に設けられたレンズマウント３０１には、中間アダプタ１０の筐体１０１が着脱可能に取り付けられる。これにより、中間アダプタ１０とカメラボディ３０とが物理的かつ電気的に接続される。中間アダプタ１０のレンズマウント１０２とカメラボディ３０のレンズマウント３０１とは、同一仕様である。
【００１０】
中間アダプタ１０の筐体１０１の内部には、ビームスプリッタ１０３と、補償光学系１０４と、測定部１０５とが設けられている。交換レンズ２０を透過して中間アダプタ１０の筐体１０１内部に入射した光束は、収れん状態のままビームスプリッタ１０３に入射する。ビームスプリッタ１０３は、ビームスプリッタ１０３に入射した光束の一部を透過させると共に、当該光束の一部を反射させる。ビームスプリッタ１０３を透過した光束は、補償光学系１０４を透過し、カメラボディ３０内部の撮像素子３０２上に撮影物体像を形成する。
【００１１】
中間アダプタ１０の筐体１０１は、交換レンズ２０の光軸方向において所定の幅を有するため、交換レンズ２０を透過してカメラボディ３０の撮像素子３０２上に結像する光束の光路長は、交換レンズ２０とカメラボディ３０との間に筐体１０１を挿入しない場合よりも上記所定の幅の分伸びている。そのため、補償光学系１０４により上記所定の幅伸びた分を補償することで、交換レンズ２０を透過しビームスプリッタ１０３を透過した光束を撮像素子３０２上に結像させるようになっている。
【００１２】
また、ビームスプリッタ１０３は、ビームスプリッタ１０３に入射した光束に対して平行平面板と等価な作用を及ぼすため、収れん状態で入射した光束においてビームスプリッタ１０３により球面収差や色収差などの光学収差が発生する。補償光学系１０４は、ビームスプリッタ１０３を透過した光束に対して、このようなビームスプリッタ１０３によって発生した光学収差を補正する機能も有する。
【００１３】
一方、ビームスプリッタ１０３により反射された光束は、測定部１０５の光取り込み口１０６に導かれ、光取り込み口１０６上に撮影物体像を形成する。光取り込み口１０６は、交換レンズ２０の光軸上に配置され、撮像画面中央の所定範囲に対応する光束のみを測定部１０５内へ取り込む機能を有する。
【００１４】
測定部１０５は、光取り込み口１０６から取り込まれた光束を光学的に測定する装置であり、たとえば、分光放射輝度計や測色計などである。分光放射輝度計や測色計などは、公知の装置を用いればよいため、説明を省略する。
【００１５】
また、中間アダプタ１０の筐体１０１の内部には、測定部１０５の光取り込み口１０６と等価な形状の画像を投影するポインタ１０７が設けられている。ポインタ１０７から発光された光束は、ビームスプリッタ１０３で反射されることにより、交換レンズ２０を透過しビームスプリッタ１０３を透過した光束と同様の光路に導かれる。
【００１６】
カメラボディ３０が電子ビューファインダを有する場合、ポインタ１０７から発光された光束はビームスプリッタ１０３を介して撮像素子３０２に導かれ、撮像素子３０２の撮像面上に光取り込み口１０６と等価な形状の画像を投影する。カメラボディ３０は、電子ビューファインダに撮像素子３０２による撮像画像を表示する。したがって、ユーザは、この表示された撮像画像において、撮影物体像に重なったポインタ１０７の投影像によって、測定部１０５の測定範囲を確認することができる。一方、カメラボディ３０が光学ファインダを有するミラー一眼レフカメラの場合には、ポインタ１０７から発光された光束は、ビームスプリッタ１０３を介してカメラボディ３０内のミラー（不図示）で反射されてファインダスクリーンに導かれ、ファインダスクリーン上に光取り込み口１０６と等価な形状の画像を投影する。したがって、ユーザは、光学ファインダによって、撮影物体像に重なったポインタ１０７の投影像を直接目視して、測定部１０５による測定範囲を確認することができる。
【００１７】
さらに中間アダプタ１０の筐体１０１の内部には、中間アダプタ１０の各部の制御を司る制御部１０８が設けられている。制御部１０８は、不図示のマイクロコンピュータおよびその周辺回路等により構成される。制御部１０８には、測定部１０５、ポインタ１０７、メモリ１０９、ポインタ発光ボタン１１０、シャッタケーブルインタフェース１１１、ＰＣ出力インタフェース１１２が接続されている。
【００１８】
交換レンズ２０とカメラボディ３０との間では、焦点調整や露出制御などの制御情報と、カメラボディ３０から交換レンズ２０への電力供給のやりとりが行われる。本実施形態では、焦点調整や露出制御などの制御情報は、中間アダプタ１０の制御部１０８を介して、交換レンズ２０とカメラボディ３０との間でやりとりされる。また、交換レンズ２０に内蔵されている絞り制御は、カメラボディ３０からの制御信号によって交換レンズ２０内のモータを駆動することで行われる。
【００１９】
カメラボディ３０には、スピードライト等の閃光装置を取り付け可能なアクセサリーシュー３０３が設けられている。カメラボディ３０のアクセサリーシュー３０３には、シャッタの開放状態を示す信号を中間アダプタ１０へ伝達するためのシャッタケーブル１１３の一端が差し込まれる。シャッタケーブル１１３の他端は、中間アダプタ１０の筐体１０１に設けられたシャッタケーブルインタフェース１１１に差し込まれる。カメラボディ３０から出力されるシャッタの開放状態を示す信号は、アクセサリーシュー３０３、シャッタケーブル１１３、およびシャッタケーブルインタフェース１１１を介して、中間アダプタ１０の制御部１０８に伝達される。
【００２０】
ポインタ発光ボタン１１０は、中間アダプタ１０の筐体１０１の上面に設けられている。ユーザによりポインタ発光ボタン１１０が押下されている間のみ、制御部１０８は、ポインタ１０７を発光させるように制御する。また、制御部１０８は、カメラボディ３０による露出用の測光時、撮影時、および撮影と同時に行われる測定部１０５による測定時には、ポインタ１０７を発光させないように制御する。
【００２１】
制御部１０８は、測定部１０５による測定動作を制御し、測定部１０５による測定結果を示す測定データをメモリ１０９に記録させる。
【００２２】
中間アダプタ１０のＰＣ出力インタフェース１１２には、測定データをパーソナルコンピュータ（ＰＣ）４０へ伝達するためのＰＣインタフェースケーブル１１４の一端が差し込まれる。ＰＣインタフェースケーブル１１４の他端は、ＰＣ４０に設けられたＰＣ入力インタフェース４０１に差し込まれる。中間アダプタ１０から出力された測定データは、ＰＣ出力インタフェース１１２、ＰＣインタフェースケーブル１１４、およびＰＣ入力インタフェース４０１を介して、ＰＣ４０に伝達される。なお、中間アダプタ１０とＰＣ４０とは、撮影時に接続していなくてもよい。
【００２３】
ここで、本実施形態の測定システム１で光学的測定を行う際の流れについて説明する。まず、ユーザは、カメラボディ３０の電子ビューファインダ又は光学ファインダによって、測定対象（撮影対象）を目視確認する。このとき、ユーザは、ポインタ発光ボタン１１０を押下することにより、ポインタ１０７を発光させて、測定部１０５による測定範囲を確認する。
【００２４】
また、カメラボディ３０の露出モードはシャッタ速度優先とし、交換レンズ２０の絞り値は所定のＦ値より明るい値で固定する。これは、光取り込み口１０６に入射する光束のＮＡ（開口数）が所定値以下にならないようにするためである。
【００２５】
ユーザが撮影構図を決定して、カメラボディ３０のシャッタボタンを押下すると、カメラボディ３０内のシャッタが開閉されて、撮像素子３０２による撮像が行われ、撮像画像が記録媒体に保存される。このとき、中間アダプタ１０の制御部１０８には、アクセサリーシュー３０３、シャッタケーブル１１３、およびシャッタケーブルインタフェース１１１を介して、カメラボディ３０からシャッタの開放状態を示す信号が伝達される。制御部１０８は、受信したシャッタの開放状態を示す信号に応じて、シャッタが開いたタイミングに同期させて測定部１０５へ測定データ取得トリガを出力して、測定部１０５に光取り込み口１０６から取り込まれる光束の光学的測定を行わせる。これにより、カメラボディ３０による撮影と同時に測定部１０５による測定を行うことができる。そして、制御部１０８は、測定部１０５から測定データを取得してメモリ１０９に保存する。
【００２６】
メモリ１０９に保存された測定データは、中間アダプタ１０からＰＣ４０に伝達される。測定部１０５による測定時に撮影された画像データは、別途カメラボディ３０からＰＣ４０に伝達される。なお、カメラボディ３０に保存された画像データをＰＣ４０に取り込む手段については、公知の手段を用いればよいため、説明を省略する。
【００２７】
ＰＣ４０には、予め測定部１０５による測定データを解析するための解析ソフトウェアがインストールされている。ＰＣ４０は、この解析ソフトウェアによって、中間アダプタ１０から出力された測定データを解析する。また、ＰＣ４０は、測定部１０５による測定データと、この測定データの測定時にカメラボディ３０により撮影された画像データとを対応付け、測定データの解析結果と共に測定時に撮影された撮影画像を不図示の表示装置に表示する。このときＰＣ４０は、図２に示すように、測定時に撮影された撮影画像５０１に重ねて、測定部１０５による測定範囲を矩形の枠で示す測定範囲画像５０２を表示する。この測定範囲画像５０２は、ポインタ１０７で投影された像に相当する図形が解析ソフトウェアによって作画されて、表示される。これにより、ユーザは、測定対象物からの光束を測定した後において、測定対象物がどのようなものであったかを撮影画像５０１で確認することができると共に、測定対象物のどの範囲を測定したかを測定範囲画像５０２で確認することができる。
【００２８】
−実施例−
次に、本実施形態に係る実施例について説明する。本実施例では、交換レンズ２０およびカメラボディ３０の仕様が下記の通りであると仮定して説明する。
カメラボディ３０の交換レンズフランジバック長：４０ｍｍ
カメラボディ３０の撮像面３０２１の大きさ：  縦＝１７．１ｍｍ×横＝２５．６ｍｍ
交換レンズ２０の射出瞳２０１の位置：  交換レンズフランジ面より物体側へ１７ｍｍ
交換レンズ２０の射出瞳２０１の径：  Φ＝１５ｍｍ
交換レンズ２０の射出瞳２０１から焦点面２０２までの距離：  ５０ｍｍ
【００２９】
図３は、本実施例において、交換レンズ２０から中間アダプタ１０を介してカメラボディ３０へ向かう光束の光路を説明する図である。本実施例において、ビームスプリッタ１０３は、交換レンズ２０の光軸Ａｘ方向の厚さが５ｍｍである。また、ビームスプリッタ１０３は、ハーフミラー面１０３１を有する。ハーフミラー面１０３１は、交換レンズ２０を透過してビームスプリッタ１０３に入射した光束の一部を反射して測定部１０５へ導き、一部を透過して撮像面３０２１へ導く。なお、ハーフミラー面１０３１は、交換レンズ２０を透過してビームスプリッタ１０３に入射した光束のうち、光軸Ａｘ近傍における所定範囲（少なくとも軸上光束を含む範囲）の光束が入射されるように構成されている。すなわち、ハーフミラー面１０３１は、交換レンズ２０を透過してビームスプリッタ１０３に入射した光束全体を２方向に分割するのではなく、光軸Ａｘ近傍である一部分を２方向に分割するようになっている。したがって、ビームスプリッタ１０３に入射した光束のうち、上記所定範囲外の光束についてはハーフミラー面１０３１に入射せずにビームスプリッタ１０３を透過するようになっている。
【００３０】
また、本実施例において、補償光学系１０４は、物体側から順に、撮像素子３０２の撮像面３０２１側に凸形状の凸メニスカスレンズＬ１と、両凹レンズＬ２とから構成される。交換レンズ２０を透過し、ビームスプリッタ１０３のハーフミラー面１０３１を透過した光束は、補償光学系１０４の凸メニスカスレンズＬ１および両凹レンズＬ２を透過して、撮像素子３０２の撮像面３０２１上に結像される。
【００３１】
交換レンズ２０を直接カメラボディ３０に取り付けた場合は、交換レンズ２０の焦点面２０２がカメラボディ３０の撮像面３０２１に一致する。本実施例では、交換レンズ２０とカメラボディ３０との間に中間アダプタ１０の筐体１０１を挿入することにより、交換レンズ２０が光軸に沿って１７．５ｍｍ前方へ移動する。すなわち、交換レンズ２０からカメラボディ３０の撮像面３０２１までの光路長が１７．５ｍｍ伸びる。しかしながら、この伸びた分、補償光学系１０４によって焦点位置を１７．５ｍｍ後方へ移動させることで、交換レンズ２０を透過した光束が撮像面３０２１上に結像する。本実施例において補償光学系１０４による倍率は１．６７３倍である。
【００３２】
本実施例に係る中間アダプタ１０において、交換レンズ２０の射出瞳２０１からカメラボディ３０の撮像面３０２１までにおける光学系のレンズデータを、以下の表１に示す。表１において、面番号は、物体側からの各光学面の番号を示し、Ｒは各光学面の曲率半径を示し、ｄは各光学面から次の光学面までの光軸上の距離（面間隔）を示し、ｎｄはｄ線に対する屈折率を示し、νｄはｄ線に対するアッベ数を示す。
（表１）
面番号   R mm      d mm     nd      νd
0        ∞       -50
1        ∞        20                       射出瞳  Φ=15mm
2        ∞         5      1.5168   63.9
3        ∞         2
4       -35.2606    2      1.95     29.4
5       -23.5287    2.2
6       -21.8867    1.5    1.6972   53.3
7       397.7278   35.03                    非球面
像面
【００３３】
また、表１に示したように、両凹レンズＬ２の撮像面３０２１側のレンズ面（第７面）は、非球面形状である。本実施例において、非球面形状は、次式（１）によって表されるものとする。なお、式（１）において、ｙは光軸からの高さであり、Ｚは高さｙにおける非球面の頂点の接平面から非球面までの光軸に沿った距離（サグ量）であり、Ｒは頂点曲率半径であり、κは円錐係数であり、Ｃ２ｎは非球面係数である。
【数１】
2014222202.tif 000003
【００３４】
以下の表２に、レンズＬ２の撮像面３０２１側のレンズ面（第７面）の非球面係数を示す。
（表２）
κ   -43213.98185
C4        7.0145E-06
C6        9.3042E-08
C8       -2.0278E-09
C10       1.0960E-11
【００３５】
また、図４に、本実施例に係る中間アダプタ１０の光学系のスポットダイアグラムを示す。図４のスポットダイアグラムは、交換レンズ２０から仮想的に無収差集光光束が射出されているとして、この光束が本実施例に係る中間アダプタ１０の光学系（ビームスプリッタ１０３および補償光学系１０４）を通過した後の集光性能を表している。評価波長は、435.834nm(g)、486.133nm(F)、587.562nm(d)、および656.273nm(C)の４波長である。図４に示すように、本実施例に係る中間アダプタ１０の光学系は、撮像物体確認に必要な集光性能を有している。
【００３６】
図５は、ビームスプリッタ１０３の拡大図である。ビームスプリッタ１０３は、交換レンズ２０からの光束が入射される第１入射面１０３２と、カメラボディ３０へ向かう光束が射出される第１射出面１０３３とを有する。第１入射面１０３２および第１射出面１０３３は、光軸Ａｘに対して垂直な面である。ハーフミラー面１０３１は、第１入射面１０３２と第１射出面１０３３との間に設けられ、第１入射面１０３２および第１射出面１０３３に対して２２．５度傾斜している。ハーフミラー面１０３１、第１入射面１０３２および第１射出面１０３３は、光軸Ａｘ上に設けられている。さらに、ビームスプリッタ１０３は、ポインタ１０７からの光束が入射される第２入射面１０３４と、交換レンズ２０を透過しハーフミラー面１０３１で反射される光束が射出される第２射出面１０３５とを有する。
【００３７】
交換レンズ２０を透過して第１入射面１０３２からビームスプリッタ１０３に入射した光束の一部はハーフミラー面１０３１を透過して第１射出面１０３３から射出され、一部はハーフミラー面１０３１で反射され、第１入射面１０３２および第１射出面１０３３で繰り返し全反射された後、第２射出面１０３５から射出され、第２射出面１０３５から１１．３ｍｍの位置に集光される。この位置に、測定部１０５の光取り込み口１０６が設置される。第２射出面１０３５には、径Φ＝４ｍｍの絞り１０３６が設けられている。これにより、迷光の光取り込み口１０６への混入を防止することができる。
【００３８】
ポインタ１０７から発光された光束は、第２入射面１０３４からビームスプリッタ１０３へ入射し、第１射出面１０３３および第１入射面１０３２で繰り返し全反射された後、ハーフミラー面１０３１で反射されて第１射出面１０３３から射出され、撮像面３０２１上に投影像を形成する。
【００３９】
以上説明した実施の形態によれば、次の作用効果が得られる。
（１）中間アダプタ１０は、レンズ交換型カメラの交換レンズ２０とカメラボディ３０との間に着脱可能に挿入され、交換レンズ２０の光軸方向において所定の幅を有する筐体１０１と、筐体１０１の内部に設けられ、交換レンズ２０を透過した光束を２方向に分割して、一方の光束をカメラボディ３０内の撮像素子３０２へ導き、他方の光束を、当該光束を光学的に測定する測定部１０５へ導くビームスプリッタ１０３と、交換レンズ２０からカメラボディ３０へ向かう光束による像を撮像素子３０２の撮像面３０２１上に結像させるように、当該光束の光路長が筐体１０１の挿入によって伸びた分を補償する補償光学系１０４と、を備える。このような構成により、測定部１０５によって交換レンズ２０を透過した光束を測定すると共に、交換レンズ２０を透過した光束をカメラボディ３０で撮像することができるので、測定対象物を後から撮像画像によって確認することができる。また、このような構成により、既存のレンズ交換型カメラに分光放射輝度計や測色計などの光学測定機能を付加しながらも、既存のレンズ交換型カメラに設けられている各種機能（例えば自動焦点機能など）についてはそのまま利用することができる。また、このような構成により、光学測定専用のカメラを作成することなく、既存のレンズ交換型カメラの交換レンズ２０とカメラボディ３０との間に中間アダプタ１０を取り付けるだけでよいので、簡易に実現できる。なお、従来、交換レンズとカメラボディとの間に挿入されるリヤコンバータが知られているが、リヤコンバータは交換レンズの焦点距離を変換することが主眼であるため、交換レンズを透過した光束を分離して別光路へ振り分ける機能はない。これに対して本実施形態による中間アダプタ１０では、ビームスプリッタ１０３により、交換レンズ２０を透過してカメラボディ３０に向かう光束の一部を分離して測定部１０５に導くので、従来のリヤコンバータと異なり、カメラ撮影と共に撮影対象の光学的測定を行うことができる。
【００４０】
（２）中間アダプタ１０において、ビームスプリッタ１０３のハーフミラー面１０３１は、交換レンズ２０を透過した光束のうち、交換レンズ２０の光軸近傍における所定範囲の光束を２方向に分割するように配置される。このような構成により、交換レンズ２０を透過した光束全体を分割する場合と比べて、ビームスプリッタ１０３の光軸Ａｘ方向の幅を薄くできるので、中間アダプタ１０の筐体１０１の光軸Ａｘ方向の幅を薄くすることができる。
【００４１】
（３）中間アダプタ１０は、カメラボディ３０内に設けられた撮像面３０２１またはファインダスクリーンに、測定部１０５による測定範囲を示す画像を投影するポインタ１０７を備える。このような構成により、ユーザは、カメラボディ３０のファインダ機能によって撮影範囲を確認する際に、測定部１０５による測定範囲を確認することができる。
【００４２】
（４）中間アダプタ１０において、制御部１０８は、シャッタインタフェース１１１を介して、カメラボディ３０からシャッタの開放状態を示す信号を受信し、当該信号に応じて測定部１０５による測定を制御する。このような構成により、既存のレンズ交換型カメラによる撮影と同時に測定部１０５による測定を行うことができる。また、ユーザは、既存のレンズ交換型カメラのシャッタボタンを押下するだけでよいので、操作が簡易である。
【００４３】
（５）中間アダプタ１０において、交換レンズ２０を透過した光束は、収れん状態のままビームスプリッタ１０３へ入射する。仮に交換レンズ２０を透過した光束を平行光束に変換してビームスプリッタ１０３へ入射させようとすると、収れん状態の光束を平行光束に変換するための光学部材が必要となってしまい、中間アダプタ１０の筐体１０１の光軸Ａｘ方向の幅が厚くなってしまう。そこで、本実施形態では、交換レンズ２０を透過した光束を収れん状態のままビームスプリッタ１０３に入射させ、ビームスプリッタ１０３で発生した光学収差を補償光学系１０４によって補正することで、筐体１０１の光軸Ａｘ方向の幅を薄くすることができる。
【００４４】
（６）中間アダプタ１０において、ビームスプリッタ１０３は、交換レンズ２０を透過した光束の一部を透過し一部を反射させるハーフミラー面１０３１と、交換レンズ２０を透過した光束が入射される第１入射面１０３２と、ポインタ１０７からの光束が入射される第２入射面１０３４と、交換レンズ２０を透過しハーフミラー面１０３１を透過した光束が射出される第１射出面１０３３と、交換レンズ２０を透過しハーフミラー面１０３１により反射された光束が射出される第２射出面１０３５と、を有する。交換レンズ２０を透過しハーフミラー面１０３１により反射された光束は、第１入射面１０３２および第１射出面１０３３で繰り返し全反射された後、第２射出面１０３５から射出される。このような構成により、一つの部材で測定に必要な光束を分岐させるとともに、分岐した光束を測定部１０５まで導くことができるため、中間アダプタ１０は、筐体１０１の光軸Ａｘ方向の幅を薄くすることができる。また、同様に、一つの部材でポインタ１０７からの光束を測定部１０５まで導くことができるため、中間アダプタ１０は、筐体１０１の光軸Ａｘ方向の幅を薄くすることができる。
【００４５】
−変形例−
上述した実施の形態では、ビームスプリッタ１０３よりも撮像素子３０２側に補償光学系１０４を配置する例について説明した。しかしながら、図６に示すように、補償光学系１０４（以下、第１補償光学系１０４と表記する）に加えて、ビームスプリッタ１０３よりも交換レンズ２０側に第２補償光学系１２０を設けるようにしてもよい。この場合、第１補償光学系１０４と第２補償光学系１２０とで、交換レンズ２０を透過しビームスプリッタ１０３を透過する光束に対してビームスプリッタ１０３により発生する光学収差を補正すると共に、筐体１０１の幅の分伸びた光路を補償する。
【００４６】
さらに、図６に示すように、ビームスプリッタ１０３と測定部１０５の光取り込み口１０６との間に第３補償光学系１２１を設けるようにしてもよい。この場合、第１補償光学系１０４と第３補償光学系１２１とで、交換レンズ２０を透過しビームスプリッタ１０３により反射される光束に対してビームスプリッタ１０３により発生する光学収差を補正する。
【００４７】
また上述した実施例では、ビームスプリッタ１０３のハーフミラー面１０３１が、交換レンズ２０を透過した光束のうち光軸Ａｘ近傍における所定範囲の光束を２方向に分割するように配置されている例について説明したが、図６に示すように交換レンズ２０を透過した光束全体を２方向に分割するように配置されていてもよい。
【００４８】
上記では、種々の実施の形態および変形例を説明したが、本発明はこれらの内容に限定されるものではない。本発明の技術的思想の範囲内で考えられるその他の態様も本発明の範囲内に含まれる。
【符号の説明】
【００４９】
１０…中間アダプタ、２０…交換レンズ、３０…カメラボディ、１０１…筐体、１０３…ビームスプリッタ、１０４…補償光学系、１０５…測定部、１０７…ポインタ、１０８…制御部、３０２…撮像素子
【図１】
2014222202.tif 000004
【図２】
2014222202.tif 000005
【図３】
2014222202.tif 000006
【図４】
2014222202.tif 000007
【図５】
2014222202.tif 000008
【図６】
2014222202.tif 000009